(57)【要約】【課題】本発明は施工、特に一部張替え作業を容易とすると共に、床板や壁材を構成する建材の浮き上がりなどの不具合の発生を抑えることができる省施工建材を提供することをその課題とする。【解決手段】省施工建材Ａの建材本体１は、平面視が正方形又は長方形、正面視及び側面視が平行四辺形である。壁下地材１２又は床下地材８０の少なくともいずれか一方に固定させる固定材１１を設置するための固定材設置部９が建材本体１の裏面３に設けられていることを特徴とする。【選択図】図１
2017150213.tif 000002
【特許請求の範囲】
【請求項１】
建材本体は、平面視が正方形又は長方形、正面視及び側面視が平行四辺形であって、
下地材に固定させる固定材を設置するための固定材設置部が建材本体の裏面に設けられていることを特徴とする省施工建材。
【請求項２】
建材本体の平面視が正方形である請求項１に記載した省施工建材において、固定材設置部は建材本体の裏面のいずれかの辺に平行に凹設された溝であることを特徴とする省施工建材。
【請求項３】
固定材設置部は、建材本体の裏面のいずれか１つの辺とこれに対向する辺の中心を結ぶ中心線を境にして、建材本体の表面側から裏面側に向かって内方に傾斜した内方傾斜側面側に凹設されていることを特徴とする請求項２に記載した省施工建材。
【請求項４】
建材本体の平面視が長方形である請求項１に記載した省施工建材において、固定材設置部は、建材本体の長手方向に凹設された溝であることを特徴とする省施工建材。
【請求項５】
固定材設置部は、建材本体の裏面の短辺の中心を結ぶ中心線を境にして、建材本体の表面側から裏面側に向かって内方に傾斜した長辺側の内方傾斜側面側に凹設されていることを特徴とする請求項４に記載した省施工建材。
【発明の詳細な説明】
【技術分野】
【０００１】
本発明は施工や張り替えを簡単に行うことが可能な床材や壁材（例えば、腰壁）等の省施工建材に関する。
【背景技術】
【０００２】
従来から、床下地材上に床板を施工する場合、四周端面に雌雄実部を形成している床板を複数枚、隣接する床板の対向する雌雄実部をお互いに嵌合させながら順次敷設し、床板の端部を床下地材に釘やステープルなどによって固定することが行われている（例えば特許文献１）。
しかしながら、このような方法によれば、正確に施工するには熟練を要しかつ手間を取るばかりでなく、床材の割れや傷等、部分的な不具合が発生した場合には、隣接した床材の実を破損することになるため該当部分だけの張り替えを行うことは難しく、部分的な不具合であっても全面的な張り替え作業が行われることが一般的であった。この点、壁面は一般的には壁紙が張り付けられることが多いが、施主の要望や部屋全体のデザインから壁面全面或いは壁面下部に壁材を張り付け施工することもあるが、この場合も実が形成された壁材がされ、上記同様の問題を抱えていた。
【０００３】
その点を考慮し、四周端面に雌雄実部を設けず、表面部から裏面部にかけて内側に緩やかに傾斜する斜面状に形成した断面逆台形の床材が提案されている。この床材は、表面側の端部同士を突合せ、高周波照射により再剥離可能なホットメルト接着剤を利用して下地に接着するようになっており、これにより任意の箇所からの床材の剥離および新しい床材の挿入を容易とする技術が特許文献２に開示されている。
【先行技術文献】
【特許文献】
【０００４】
【特許文献１】特開平１１−１５２８８５号公報（第４頁、図２）
【特許文献２】特開２００６−３７５６６号公報（第３頁、図１）
【発明の概要】
【発明が解決しようとする課題】
【０００５】
しかしながら、この方法では張り替えは容易になるものの、実結合でなく隣接する床板同士が表面側端部の突合せだけであるので、個々の床板の寸法変化や接着剤の剥離などで床板の浮き上がりが生じた場合、隣接する床材による浮き上がりを抑えることはできず、施工後に目隙や反りなどの問題が発生することが多かった。この点は上記と同じ形状の建材を腰壁のような壁材に於いても同じと考えられる。
そこで本発明では施工、特に一部張り替え作業を容易とすると共に、床板(或いは、腰壁を始めとする壁材)として使用した場合におけるこれらの浮き上がりなどの不具合の発生を抑えることができる新たな省施工建材を提供することをその課題とする。
【課題を解決するための手段】
【０００６】
請求項１に記載した発明は、床材や壁材として使用できる省施工建材Ａに関し、
建材本体１は、平面視が正方形又は長方形、正面視及び側面視が平行四辺形であって、
下地材１２・８０に固定させる固定材１１を設置するための固定材設置部９が建材本体１の裏面３に設けられていることを特徴とする。
【０００７】
本発明の省施工建材Ａは、平面視が正方形と長方形の２種類がある。正面視及び側面視はいずれも平行四辺形である。平面視が正方形のものをＡ１で示し、長方形のものをＡ２で示し、両者の上位概念をＡで示す。
【０００８】
請求項２は、請求項１に記載した発明において、建材本体１の平面視が正方形であって（第１実施例Ａ１  図１）、固定材設置部９は建材本体１の裏面３のいずれかの辺４ｙ〜７ｙに平行に凹設された溝であることを特徴とする。
【０００９】
請求項３は、請求項２に記載した発明において、固定材設置部９は、建材本体１の裏面３のいずれか１つの辺６ｙとこれに対向する辺７ｙの中心Ｐ・Ｐを結ぶ中心線ＣＬを境にして、建材本体１の表面２側から裏面３側に向かって内方に傾斜した内方傾斜側面４側に凹設されていることを特徴とする。
【００１０】
請求項４は、請求項１に記載した発明において、建材本体１の平面視が長方形であって（第２実施例Ａ２  図２）、固定材設置部９０は、建材本体１０の長手方向に凹設された溝であることを特徴とする。
【００１１】
請求項５は、請求項４に記載した発明において、固定材設置部９０は、建材本体１０の裏面３０の短辺６０ｙ・７０ｙの中心Ｐ・Ｐを結ぶ中心線ＣＬを境にして、建材本体１０の表面２０側から裏面３０側に向かって内方に傾斜した長辺側の内方傾斜側面４０側に凹設されていることを特徴とする。
【発明の効果】
【００１２】
本発明の省施工建材Ａによれば、建材本体１・１０の形状を平面視正方形、正面視及び側面視が平行四辺形（第１実施例Ａ１）、或いは、平面視長方形、長辺方向の正面視及び短辺方向の側面視を平行四辺形（第２実施例Ａ２）としているので、壁下地材１２又は床下地材８０の少なくともいずれか一方の上に敷設する場合に雌雄実を嵌合させる必要が無く、それ故、施工が容易であり、個々の省施工建材Ａごとの張り替えも隣接する省施工建材Ａ’を傷めることなく容易に行うことができる。しかも一方の省施工建材Ａが隣接する他方の省施工建材Ａ’を拘束することになるので、浮き上がりも生じない。
【００１３】
そして、固定材設置部９・９０を建材本体１の裏面に凹設された溝、或いは、建材本体１０の長手方向に凹設された溝とすることで、例えば、柔らかく変形可能な粘着材その他後述するような固定材１１を固定材設置部９・９０に充填或いは設置すれば、固定材１１の働きで下地材１２・８０に省施工建材Ａを並べて行くだけで省施工建材Ａの浮き上がりや隣接する省施工建材Ａ・Ａ’相互の段差も生じることなくきれいに施工でき、リフォームをするような場合でも取り替え箇所だけを簡単に取り替えることが出来る。
【００１４】
固定材設置部９・９０の設置位置を、中心線ＣＬを境にして、内方に傾斜した内方傾斜側面４・４０側にしておけば、実なしであるにも拘わらず反対の外方に傾斜した外方傾斜側面５・５０は隣接して敷設された省施工建材Ａの内方に傾斜した内方傾斜側面４・４０に押さえ込まれて浮き上がりを確実に防止できる。
【図面の簡単な説明】
【００１５】
【図１】(ａ)本発明の第１実施例の平面図、(ｂ)同正面図である。
【図２】(ａ)本発明の第２実施例の平面図、(ｂ)同正面図である。
【図３】図１及び図２の右側面図である。
【図４】本発明の第１実施例の施工状態を示す平面図である。
【図５】図４を正面側から見た断面図である。
【図６】図５の直角方向の断面図である。
【図７】本発明の第２実施例の施工状態を示す平面図である。
【図８】図７を長辺側から見た断面図である。
【図９】本発明の建材を壁面に施工した例の断面図である。
【発明を実施するための形態】
【００１６】
以下、本発明を図面に従って説明する。本発明に係る省施工建材Ａは図１に示す平面視正方形のもの（第１実施例Ａ１）と、図２に示す平面視長方形のもの（第２実施例Ａ２）とがあり、床材として用いられる場合と壁材として用いられる場合とがある。まず、第１実施例Ａ１を床材として使用した場合に付いて説明し、次に第２実施例を説明する。なお、床材として使用する場合には、分かりやすくするために「建材」を「床材」とし、壁材として使用する場合には「壁材」として同じ符号を使用する。第２実施例の説明に当たっては、煩雑さを避けるため原則として重複する部分は第１実施例の記載を第２実施例の説明に援用する。壁材として使用する場合は図９で説明する。
【００１７】
第１実施例の床材本体（建材本体）１は板状の部材で、平面視が正方形、辺方向からの正面視及び側面視が平行四辺形である。そして、床材本体１の裏面３に固定材設置部９が設けられている。
上記床材本体１において、その隣接する二側面が、床材本体１の表面２側から裏面３側に向かって内方に傾斜した内方傾斜側面４・６であり、他の隣接する二側面が、床材本体１の表面２側から裏面３側に向かって外方に傾斜した外方傾斜側面５・７である。
一方の外方傾斜側面７において、床材本体１の裏面側の辺７ｙと裏面３に垂直な線とのなす傾斜角度θ１及びその反対側の傾斜角度θ１（図１(ｂ)）、他方の外方傾斜側面５において、裏面３側の辺５ｙと裏面３に垂直な線とのなす傾斜角度θ２及びその反対側の傾斜角度θ２（図３）は、５〜４５°の範囲に設けられる。
前記傾斜角度θ１、θ２が５°よりも小さくなると、省施工床材Ａ１を平面方向に並べて配置施工した場合に隙間が目立ってしまい、４５°より大きくなると省施工床材Ａ１の辺や角部が鋭角になり過ぎ欠けやすくなる。また、省施工床材Ａ１を横滑りさせた際に、内側に傾斜した内方傾斜側辺４・６が隣の省施工床材Ａ１に乗り上げてしまい、尖った辺や角部を破損することが発生する。
傾斜角度θ１とθ２は同じ角度であってもよいし、異なっていてもよいが、角度の範囲としては上記の５〜４５°の範囲内に収まることが好ましい。この点は第２実施例も同様である。
【００１８】
固定材設置部９は、床材本体１を床下地材８０に固定させるための固定材１１が設置される部分で、床材本体１の全長に（又は図示していないが部分的に）凹設された直線状の溝である。勿論、蛇行した溝その他適宜の形状でもよい。この溝状の固定材設置部９は裏面３のどこに設けてもよいが、図１には床材本体１の１つの辺（内方傾斜側辺４の裏面３側の辺４ｙ）に平行に凹設された溝状の例が示されている。
固定材設置部９の設置位置は上記のように特段限定されないが、図の実施例では、床材本体１の裏面３の１つの辺６ｙ（以下、これを第１辺６ｙとする。）とこれに対向する辺７ｙ（以下、これを第２辺７ｙとする。）の中心Ｐを結ぶ中心線ＣＬを境にして、床材本体１の表面２側から裏面３側に向かって内方に傾斜した内方傾斜側面４側に凹設されている。
溝の形状は、本実施例では床材本体１の幅方向断面が横長長方形であるが、勿論、これに限定されるものではなく、半円、正方形その他適宜の形状が選択される。
固定材設置部９は固定材１１を収納する関係上「溝」としたが、これに限られず、固定材１１が薄い両面接着テープのようなものであれば、床材本体１の裏面３自体が固定材設置部９になる。
【００１９】
上記溝状の固定材設置部９の設置例を示せば、裏面３の内側に傾斜した内方傾斜側面４の辺４ｙから床板本体１の横幅方向の１〜５％の幅で第１裏面接地面３ａを設けた後、床板本体１の横幅方向の約３０〜４５％の溝幅とするのが好ましい。残りの部分（６９〜５０％）を第２裏面接地面３ｂとする。第１・２裏面接地面３ａ・３ｂ部分を図１(ａ)において薄墨で示す。
溝の深さは上記のように使用する固定材１１の厚みに応じて変更することができ、少なくとも固定材設置部９に設けた固定材１１と床下地材８０とを接着させた際に、固定材１１の盛り上がりによって隣接する省施工床材Ａ’との段差或いは省施工床材Ａ自体の浮き上がりが発生しない深さとする。
【００２０】
床材本体１は、本実施例では縦横４５０ミリメートル×４５０ミリメートル、厚さが１２ミリメートルの大きさに設定されている。
床材本体１の材質として、本実施例では栗、ウォールナット、オーク、メープルといった無垢材、木質繊維板、或いは合板の表面に突板を貼着一体化したもの、その他、集成木でもよく、その材質は特に限定されるものではない。
【００２１】
固定材１１は、ゴム系、ラテックス樹脂系、ゴムラテックス樹脂系、アクリル樹脂系又はアクリル樹脂系エマルジョンタイプ等の柔らかい粘着材、アクリル、ウレタン、エチレン‐酢酸ビニル等を発泡させ、微小な気泡による吸盤機能を有する発泡合成樹脂からなる吸着剤等の柔らかい素材、或いはフックとループとの係合部分に遊び（寸法的な伸縮性）のある面ファスナなどが挙げられる。
上記のように床材本体１の裏面３の全体を固定材設置部９とする場合、或いは溝を非常に浅く形成する場合には両面テープの使用も可能である。
【００２２】
本発明に係る第１実施例の省施工床材Ａ１の施工に付いて説明する。床下地材８０は新築の場合、床スラブ或いは合板等であるが、リフォームの場合は旧のフローリングを床下地材８０とし、その上に敷設してもよい。勿論、旧のフローリングを剥がしてもよい。図５，６は旧のフローリングを床下地材８０とした場合である。
まず、本発明に係る省施工床材Ａ１の固定材設置部９に粘着材や吸着剤等の固定材１１を固定材設置部９から外方に膨出するように充填する。これらは柔らかい半固形状の素材で、押圧されれば弱い弾性力を保持した状態で固定材設置部９内に押し込まれる。固定材１１が面ファスナの場合は、その一方を溝である固定材設置部９に接着する。
【００２３】
続いて図４に示すように、部屋の隅から省施工床材Ａ１を順次並べて行く。この場合は省施工床材Ａ１の形状が平面視正方形であるので、碁盤の目のような配列となる。勿論、配列はこれに限られず千鳥その他に配列してもよい。
図６から分かるように、固定材１１は、前述のように溝状の固定材設置部９から外方に膨出するように充填されるが、敷設されると柔らかいため床下地材８０に粘着又は吸着した状態で省施工床材Ａ１に押し付けられて固定材設置部９に入り込み、第１・２裏面接地面３ａ・３ｂが床下地材８０に接触して省施工床材Ａ１の浮き上がりを発生させない。
面ファスナの場合は、他方のファスナを床下地材８０に接着し、雌雄のファスナを係着させて省施工床材Ａ１を固定する。この場合も、面ファスナのループとフックの係合部分の寸法的余裕で同様に浮き上がり発生はない。
【００２４】
隣接する省施工床材Ａ’との関係では、図５，６から分かるように、一方の省施工床材Ａ１の内側に傾斜した内方傾斜側面４・６の表面２側の２辺４ｘ・６ｘは、隣接する省施工床材Ａ’の外側に傾斜した外方傾斜側面５’・７’の裏面３’の隣接二辺５ｙ’・７ｙ’に上に被さるように敷設されるので、実なしの場合でも上に被さった２辺４ｘ・４ｙが実の代わりとなって隣接する省施工床材Ａ’を押さえ込む。
【００２５】
この時、溝状の固定材設置部９が、前記中心線ＣＬを境にして、内方傾斜側面４側に凹設されている場合には、図６から分かるように、隣接する省施工床材Ａ’の外方傾斜側面５’に上から被さるように施工され、前記省施工床材Ａ’に対して浮き上がりやすい側の内方傾斜側面４が固定材１１の粘着（或いは吸着又は係止）によって引き止められ、内方傾斜側面４の浮き上がりがなくなる。この点は、第２辺７ｙでも同じであるが、溝状の固定材設置部９が第１・２辺６ｙ・７ｙ間の全長に亘って設けられているので、第２辺７ｙ近傍の固定材設置部９内に充填された固定材１１が上記と同様の働きをなし、第２辺７ｙの浮き上がりが抑制される。
【００２６】
また、省施工床材Ａ１を敷設すると、図５，６に示すように端の省施工床材Ａ１は、その裏面３の外側に傾斜して突き出した辺５ｙ・７ｙが壁１２に接するため、外方傾斜側面５・７と壁１２との間で隙間１３・１４が生じる。
この隙間１３・１４は幅木１５を壁１２取り付けることで外観に現れないようにすることになる。
【００２７】
このように敷設した省施工床材Ａ１に傷が生じたり、破損してその一部を取り替える場合、当該省施工床材Ａ１を内・外方傾斜側面４〜７に沿って斜め上に引っ張れば、固定材１１の粘着や吸着或いはフックによる係止が外れて簡単に抜き出すことが出来る。そして、新しい省施工床材Ａ１に固定材１１を充填して抜き出した空間に挿入すれば、固定材１１によって新しい省施工床材Ａ１は床下地材８０に固着し交換が完了する。
以上のように本発明では施工、特に一部張り替え作業は上記のように容易であり、張り替え後では省施工床材Ａ１の浮き上がりなどの不具合の発生なしの施工が可能となる。
【００２８】
図２(ａ)(ｂ)、図７及び図８は、本発明の第２実施例である。第２実施例は第１実施例の符号に０を付けて表示している。床材本体１０は細長い板状の部材で、平面視が長方形、長辺方向の正面視及び短辺方向の側面視が平行四辺形である。そして、第１実施例と同様、床材本体１０の裏面３０に固定材設置部９０が設けられている。
第１実施例と同様、床材本体１０の外方傾斜側面７０の裏面側の短辺７０ｙと裏面３０に垂直な線とのなす傾斜角度θ１及びその反対側の傾斜角度θ１（図２）、外方傾斜側面５０の裏面３０側の長辺７０ｙと裏面３０に垂直な線とのなす傾斜角度θ２及びその反対側の傾斜角度θ２（図３）は、５〜４５°の範囲に設けられる。上記数値の根拠は第１実施例Ａ１と同じである。
【００２９】
第２実施例の固定材設置部９０は、床材本体１０の長手方向の全長に（又は図示していないが部分的に）凹設された直線状の溝である。勿論、蛇行した溝その他適宜形状が選択される。
溝の形状は、第１実施例と同じである。固定材１１が薄い両面接着テープのようなものであれば、床材本体１０の裏面３自体が固定材設置部９０になる点も同じである。
【００３０】
固定材設置部９０は、裏面３０のいずれの箇所に設けてもよいが、床材本体１０の裏面３０の短辺６０ｙ・７０ｙの中心Ｐ・Ｐを結ぶ長手方向の中心線ＣＬを境にして、床材本体１０の内方傾斜側面４０側の裏面側長辺４０ｙに沿って設けることが好ましい。図の実施例では中心線ＣＬを越えていないが、固定材設置部９０の半分以下であれば中心線ＣＬを越えてもよい。
溝状の固定材設置部９０の設置例も第１実施例Ａ１と率では同じで、裏面側長辺４０ｙから床板本体１０の横幅方向の１〜５％の幅で第１裏面接地面３０ａを設けた後、床板本体１０の横幅方向の約３０〜４５％の溝幅とするのが好ましい。残りの部分を第２裏面接地面３０ｂとする。溝の深さ及び図での表現の仕方も第１実施例と同じである。
【００３１】
床材本体１は、本実施例では横幅が３００ミリ、長さが１８００ミリ、厚さが１２ミリの大きさに設定されている。勿論、上記寸法に限定されることはない。床材本体１の材質も第１実施例と同じである。
【００３２】
固定材１１も第１実施例と同じである。床材本体１０の裏面３０を固定材設置部９０とする場合、或いは溝を非常に浅く形成する場合には両面テープの使用も可能である点も同じである。
【００３３】
本発明に係る省施工床材Ａ２の施工も長さが異なるだけで基本的には第１実施例と同じである。図７，８は旧のフローリングを床下地材８０とした点、固定材１１の充填又は取り付け方法、省施工床材Ａの施工方法（部屋の隅からを順次並べて行く点）、固定材１１の床下地材８０への固定と浮き上がりの不発生なども同じである。
【００３４】
隣接する省施工床材Ａ’との関係は、形状の違いによる相違はあるものの基本原理は同じである。即ち、一方の省施工床材Ａ２の内方傾斜側面４０の表面２０側の長辺４０ｘ（図６）や内方傾斜側面６０の表面２０側の短辺６０ｘ（図８）が、隣接する省施工床材Ａ’の外方傾斜側面５０’の裏面３０’側の長辺５０ｙ’（図６）や外方傾斜側面７０’の裏面３０’側の短辺７０ｙ’（図８）の上に被さるように敷設されるので（換言すれば、内側に傾斜した長辺側の内方傾斜側面４０や短辺側の内方傾斜側面６０が、外側に傾斜した長辺側の外方傾斜側面５０’や短辺側の外方傾斜側面７０’に上から被さるので）、実なしの場合でも上に被さった長辺４０ｘや短辺６０ｘが実の代わりとなって隣接する省施工床材Ａ’を押さえ込む。
【００３５】
この時、溝状の固定材設置部９０が、前述の中心線ＣＬを境にして、床材本体１０の内方傾斜側面４０側に凹設されている場合、図６から分かるように、隣接する省施工床材Ａ’の長辺側の外方傾斜側面５０’に上から被さるように施工され、前記省施工床材Ａ’に対して浮き上がりやすい側の長辺側の内方傾斜側面４０が固定材１１の粘着（吸着又は係止）によって引き止められ、長辺側の内方傾斜側面４０の浮き上がりがなくなる。
【００３６】
また、省施工床材Ａ２を敷設すると、図７，８に示すように壁１２に接した端の省施工床材Ａ２は、長・短辺側の外方傾斜側面５０・７０）と壁１２との間で隙間１３・１４が生じる。この隙間１３・１４の解消は幅木１５により行うことも同じである。
【００３７】
このように敷設した省施工床材Ａ２の一部を取り替え方法、一部張り替え作業の容易性及び張り替え後の浮き上がり不発生も同様である。
【００３８】
図９は省施工建材Ａを壁材として使用した例である。施工原理は上記２つの実施例と同じである。図では、壁材本体１（１０）が壁下地材１２に沿って敷設され、腰壁とした例である。最上段の壁材本体１（１０）の上端には装飾用のモール１６が取り付けられ、モール１６から上の部分については図示しない壁紙が貼られる。また、図示していないが、壁下地材１２の全面に亘って敷設することも可能で、この場合は、最上段の壁材本体の上端には回り縁が取り付けられる。図の施工例では固定材設置部９・９０は水平となるように配置されているが、垂直方向になるように施工してもよい。
【符号の説明】
【００３９】
Ａ（Ａ１、Ａ２）：省施工建材（床材・壁材）、Ａ’：隣接の省施工床材、ＣＬ：中心線、Ｐ：中心、θ１・θ２：傾斜角度、１：建材本体（床材本体・壁材本体）、２：表面、３・３’：裏面、３ａ：第１裏面設置面、３ｂ：第２裏面設置面、４：内方傾斜側面、４ｘ：表面側の辺、４ｙ：裏面側の辺、５・５’：外方傾斜側面、５ｙ・５ｙ’：裏面側の辺、６：内方傾斜側面、６ｘ：表面側の辺、６ｙ：裏面側の辺（第１辺）、７・７’：外方傾斜側面、７ｙ：裏面側の辺（第２辺）、７ｙ’：裏面側の辺、９：固定材設置部、１０：床材本体（床材本体・壁材本体）、１１：固定材、１２：壁（壁下地材）、１３・１４：隙間、１５：幅木、１６：モール、２０：表面、３０・３０’：裏面、３０ａ：第１裏面設置面、３０ｂ：第２裏面設置面、４０：長辺側の内方傾斜側面、４０ｘ：表面側の長辺、４０ｙ：裏面側の長辺、５０・５０’：外方傾斜側面、５０ｙ’：裏面側の長辺、６０：短辺側の内方傾斜側面、６０ｘ：表面側の短辺、６０ｙ：裏面側の短辺、７０・７０’：外方傾斜側面、７０ｙ・７０ｙ’：裏面側の短辺、８０：床下地材、９０：固定材設置部。
【図１】
2017150213.tif 000003
【図２】
2017150213.tif 000004
【図３】
2017150213.tif 000005
【図４】
2017150213.tif 000006
【図５】
2017150213.tif 000007
【図６】
2017150213.tif 000008
【図７】
2017150213.tif 000009
【図８】
2017150213.tif 000010
【図９】
2017150213.tif 000011